(57)【要約】      （修正有）【課題】付属品箱および取扱説明書の位置ずれおよび破損の防止または低減を図ることができる梱包装置を提供する。【解決手段】製品６を載置せしめる載置部７を有する板状の下部段ボール板２と、この下部段ボール板２の載置部７上に載置された製品６上に被せて、この製品６を被覆する箱状の上部段ボール箱３と、下部段ボール板２の載置部７側面に底面が接着されて、製品６の付属品を収容した付属品箱１０およびこの製品６の取扱説明書を含む取扱説明書セット１１を着脱可能に収容する折畳み可能な枠状の付属品箱固定用パッド４と、を具備している。【選択図】図１
2013144568.tif 000002
【特許請求の範囲】
【請求項１】
製品を載置せしめる載置部を有する板状の下部段ボール板と、
この下部段ボール板の載置部上に載置された製品上に被せて、この製品を被覆する箱状の上部段ボール箱と、
前記下部段ボール板の載置部側面に底面が接着されて、前記製品の付属品を収容した付属品箱およびこの製品の取扱説明書を着脱可能に収容する折畳み可能な枠状の付属品箱固定用パッドと、
を具備していることを特徴とする梱包装置。
【請求項２】
前記下部段ボール板は、その載置部の両端から水平方向外方へそれぞれ延在して前記製品側へ折曲される一対の折曲片部を、
具備していることを特徴とする請求項１記載の梱包装置。
【請求項３】
前記上部段ボール箱は、開閉可能な開閉蓋を有し、この開閉蓋の内面に、
前記下部段ボール板の一対の折曲片部同士の対向方向に直交する方向で対向する前記製品の一対の側面外面と、これら外側面とそれぞれ対向する前記上部段ボール箱の一対の内側面との間隙に介在される緩衝材を設けたことを特徴とする請求項１記載の梱包装置。
【発明の詳細な説明】
【技術分野】
【０００１】
本発明の実施形態は梱包装置に関する。
【背景技術】
【０００２】
従来の梱包装置としては、特許文献１記載のもの、あるいは図１５、図１６に記載のものが知られている。図１５、図１６で示す従来の梱包装置１０１の組立手順については、図１６に示すように、まず、板状の下部段ボール板１０２の図中上面上に、電気機器等の製品１０３を載置する。
【０００３】
次に、製品１０３の図示省略の付属品を収容した付属品箱１０４と、この製品１０３の図示省略の取扱説明書とその内容を電子データとして記録したＣＤ（Ｃｏｍｐａｃｔ  Ｄｉｓｃ）を、共に樹脂袋内に収容した取扱説明書セット１０５とを、下部段ボール板１０２の所定位置上に並べて載置し、粘着テープ１０６により製品１０３の一側面下部に一体的に貼着して固定する。
【０００４】
この後、梱包装置１０１の輸送に伴う振動時に、付属品箱１０４と取扱説明書セット１０５の位置がずれるのを防止するために、これら付属品箱１０４と取扱説明書セット１０５の図１６中上部の空間に、段ボール製角柱状の付属セット固定用パッド１０７を充填し、製品１０３上に上面段ボール板１０８を載置する。
【０００５】
次に、ほぼ直角に折曲された左右一対の段ボール製のＬ状の側面段ボール板１０９，１１０を、製品１０３のＬ状の２外側面（例えば左側面と背面、または右側面と正面）にそれぞれ宛がい、これら一対の側面段ボール板１０９，１１０の長手方向端部同士を粘着テープ１１１，…により接合して上下端を開口させた角筒状に構成する。この後、製品１０３の図中上面に上面段ボール板１０８を載置し、角筒状に形成する。
【０００６】
次に、図１５に示すように角筒状に形成された上面段ボール板１０８、左右一対の側面段ボール板１０９，１１０および下部段ボール板１０２の外面を、複数本のＰＰ（ポリプロピレン）製の結束バンド１１２，…により上下方向に締結している。なお、図１５，図１６中符号１１３，…は、帯状の複数枚の段ボール板を高さ方向に積層して角棒状に形成されたゲタ部であり、図示省略のフォークリフトのフォークを挿入させるための間隙を置いて下部段ボール板１０２の下底面に複数並設固着される。
【先行技術文献】
【特許文献】
【０００７】
【特許文献１】特願２００１−１４６２６９号公報
【発明の概要】
【発明が解決しようとする課題】
【０００８】
しかしながら、上記梱包装置１０１では、次の課題がある。
【０００９】
１．この梱包装置１０１の輸送時の振動等により、付属品箱１０４あるいは取扱説明書セット１０５が設置箇所より外れて飛び出し、付属品箱１０４内の付属品の変形あるいは破損、取扱説明書ＣＤの破損等の虞があるという課題がある。
【００１０】
２．左右一対の側面段ボール板１０９，１１０同士が分離されているうえに、これら側面段ボール板１０９，１１０と上面段ボール板１０８とが分離され、さらに、付属品箱固定用パッド１０７を具備しているので、部品点数が多い。このために、梱包装置１０１の組立工数が多く、組立作業時間が長いために、梱包費および管理費が高い。
【００１１】
また、分離されている側面段ボール板１０９，１１０同士を粘着テープ１１１，…により接続し、これら側面段ボール板１０９，１１０と上面段ボール板１０８とを結束バンド１１２，…により結束するので、粘着テープを所定箇所に適格に貼着させる必要があり、その工程管理が大変である。
【００１２】
本発明が解決しようとする課題は、付属品箱および取扱説明書の位置ずれおよび破損の防止または低減を図ることができる梱包装置を提供することにある。
【課題を解決するための手段】
【００１３】
本実施形態に係る梱包装置は、製品を載置せしめる載置部を有する板状の下部段ボール板と、この下部段ボール板の載置部上に載置された製品上に被せて、この製品を被覆する箱状の上部段ボール箱と、を具備している。
【００１４】
また、下部段ボール板の載置部側面に底面が接着されて、製品の付属品を収容した付属品箱およびこの製品の取扱説明書を着脱可能に収容する折畳み可能な枠状の付属品箱固定用パッドと、を具備している。
【図面の簡単な説明】
【００１５】
【図１】本実施形態に係る梱包装置の下部段ボール板上に、上部段ボール箱を被せる工程を示す斜視図。
【図２】図１で示す下部段ボール板の斜視図。
【図３】（Ａ）は図２で示す付属品箱固定用パッドの斜視図、（Ｂ）は同，正面図。
【図４】（Ａ）は図２で示す下部段ボール板の平面図、（Ｂ）は同（Ａ）のＢ矢視図、（Ｃ）は同（Ａ）のＣ矢視図。
【図５】（Ａ）は図１〜図３で示す付属品箱固定用パッドの折畳み状態を示す部分側断面図、（Ｂ）は同付属品箱固定用パッドを引き起す途中の状態を示す部分側断面図、（Ｃ）は起立した同付属品箱固定用パッド内に、付属品箱と取扱説明書セットを収容した状態を示す部分側断面図。
【図６】（Ａ）は付属セットの分解斜視図、（Ｂ）は同付属セットの組立て後の外観斜視図。
【図７】取扱説明書とその取扱説明書ＣＤを一体に包装した取扱説明書セットの斜視図。
【図８】図１で示す製品を下部段ボール板上に載置し、下部段ボール板の折曲片部を折曲する前の状態を示す図１のＶＩＩＩ矢視図。
【図９】本実施形態に係る梱包装置の上蓋を開口させた状態の斜視図。
【図１０】図１等で示す上部段ボール箱の上蓋を閉じた状態の斜視図。
【図１１】（Ａ）は図１０で示す上部段ボール箱の平面図、（Ｂ）は同，側面図。
【図１２】本実施形態に係る梱包装置において、下部段ボール板の一対の折曲片部を製品載置部側へ折り曲げて起立させた状態を示す斜視図。
【図１３】図１２のＸＩＩＩ矢視図。
【図１４】梱包テープにより締結された後の本実施形態に係る梱包装置の全体とその下底部の一部を拡大して示す斜視図。
【図１５】従来の梱包装置の全体とその下底部の一部を拡大して示す斜視図。
【図１６】従来の梱包装置の分解斜視図。
【発明を実施するための形態】
【００１６】
以下、本実施形態を、図面を参照して説明する。なお、複数の図面中、同一または相当部分には同一符号を付している。
【００１７】
図１は、本実施形態に係る梱包装置の下部段ボール板上に、上部段ボール箱を被せる工程を示す斜視図である。この梱包装置１は、その全体が段ボール板により構成されており、段ボール製の下部段ボール板２、同，上部段ボール箱３および同，付属品箱固定用パッド４を具備している。
【００１８】
図１，図２，図４（Ａ）〜（Ｃ）に示すように、下部段ボール板２は、長方形の板状に形成され、その底部外面に、角棒状の複数のゲタ部５，…を短手方向（図４では上下方向）に所要の間隔を置いて固着している。これらゲタ部５，…同士の間隙は、図示しないフォークリフトのフォークを差し込む間隙に形成されている。
【００１９】
下部段ボール板２は、その図１，図２中、上面のほぼ中央部に、電気機器等の製品６を載置させる載置部７を形成している。この載置部７は、製品６がこの載置部７上に投影される平面投影面の輪郭の角部にそれぞれ合わせて、ほぼ直角に屈曲されたＬ字状の段ボール製の位置決め凸部８，…を貼着している。
【００２０】
そして、下部段ボール板２は、その長手方向両端部に左右一対の折曲片部９，９を形成している。これら折曲片部９，９は、板状の下部段ボール板２の長手方向両端部を水平方向外方に所要長延在させ、その折曲内端には、載置部７側へほぼ直角に折り曲げるための折曲線をプレス等により、予め形成している。
【００２１】
一方、付属品箱固定用パッド４は、その底面４ｃを、これら折曲片部９，９の一方の内端と、載置部７の一端（図２では左端）との間にて、下部段ボール板２の図２中、上面上に所要の接着剤により接着している。
【００２２】
図３（Ａ），（Ｂ）にも示すように、付属品箱固定用パッド４は、段ボール板により４側面を構成する矩形枠状に形成され、その前面４ａ，および背面４ｂを開口させている。
【００２３】
そして、図５（Ａ），（Ｂ），（Ｃ）に示すように、付属品箱固定用パッド４は、その底面４ｃを、下部段ボール板２の図中上面上に、接着剤により固定し、折畳み可能かつ起立可能に構成されている。
【００２４】
すなわち、図５（Ｂ）に示すように、付属品箱固定用パッド４は、その上辺部を、例えば図中左矢印方向に引っ張りつつ、図中右上角部が、左下角部上に重なり合うように下方へ押し付けることにより、付属品箱固定用パッド４を平面状態に折り畳むことができる。
【００２５】
一方、図５（Ａ）に示すように、この折畳み状態にある付属品箱固定用パッド４の図中右端部側を図中左矢印方向へ引き上げることにより、図５（Ｃ）に示すように下部段ボール板２上に起立させることができる。この起立した状態の付属品箱固定用パッド４内には、付属品箱１０と取扱説明書セット１１とを例えば横方向に並べた状態で着脱可能に挿入し収納する。
【００２６】
図６（Ａ）に示すように、付属品箱１０は、有底の段ボール箱１０ａ内に、製品の付属品１２を収容し、この付属品１２の上部に、平板状の天面保護用段ボール板１０ｃを載置してからこの段ボール箱１０ａの上部開閉蓋を閉じ、粘着テープ１０ｂによりに封緘している。
【００２７】
図７に示すように取扱説明書セット１１は、取扱説明書１１ａと、この取扱説明書１１ａの内容を電子データとして記録した取扱説明書ＣＤ１１ｂとを例えばＰＥ（ポリエチレン）あるいは熱収縮樹脂フィルム等の樹脂袋内に収容して封緘している。
【００２８】
図１，図８に示すように付属品箱１０と取扱説明書セット１１は、付属品箱固定用パッド４内に収容された状態で、その外面を粘着テープ１３により固定している。この粘着テープ１３の両端は付属品箱固定用パッド４に隣り合う製品６の一表面にそれぞれ貼着されて固定される。
【００２９】
図１，図１０に示すように、上部段ボール箱３は、図中下面（底部）を開口させて製品６を挿入させる下面開口部３ｏとして形成する一方、図９で示すように側板部上端３ａの四辺に、段ボール製平板状の図中上下一対の内フラップ部３ｂ，３ｃと、左右一対の外フラップ部３ｄ，３ｅを開閉可能に設けている。側板部上端３ａは、内フラップ部３ｂ，３ｃを側板部上端３ａ側へ折曲させることにより閉じられ、さらに、この内フラップ部３ｂ，３ｃの上（外）側に、外フラップ部３ｄ，３ｅを重ねるように閉じることにより、内外２重に閉じられる。
【００３０】
図９に示すように上下一対の内フラップ部３ｂ，３ｃは、その内面の左右両端部に、図中左右一対のがたつき防止用ゲタ部材１４ａ，１４ｂをそれぞれ貼着している。これら一対のがたつき防止用ゲタ部材１４ａ，１４ｂは、上下一対の内フラップ部３ｂ，３ｃの閉蓋時に、上部段ボール箱３内に収容されている製品６の図中、左右外側面と、上部段ボール箱３の左右内側面との間隙に介在されて、製品６が上部段ボール箱３内で、図中、左右方向にずれることを防止する緩衝材として機能する。すなわち、がたつき防止用ゲタ部材１４ａ，１４ｂは上部段ボール箱３の一対の折曲片部９，９同士の対向方向に直交する方向の製品６の横ずれの防止を図ることができる。これらがたつき防止用ゲタ部材１４ａ，１４ｂの大きさおよび厚み等は、段ボールにより所要の寸法に形成される。
【００３１】
図１０は、これら一対の内フラップ部３ｂ，３ｃと外フラップ部３ｄ，３ｅが側板部上端３ａ側（内側）へそれぞれ直角に折曲されることにより、上部段ボール箱３の側板部上端３ａが内外２重に閉じられた状態の上部段ボール箱３の外観斜視図であり、図１１（Ａ）は同，平面図、（Ｂ）は同，側面図である。
【００３２】
そして、図１２に示すように付属品箱固定用パッド４内に収容された付属品箱１０と取扱説明書セット１１は、その外面側を、粘着テープ１３と折曲片部９とにより二重に支持されると共に、その背面側を製品６の外側面により支持され、いわば、付属品箱固定用パッド４の両開口端４ａ，４ｂの両側で挟持されているので、図中白矢印で示す前後方向に、付属品１０と取扱説明書セット１１が付属品箱固定用パッド４の開口端４ａ，４ｂから外方へ飛び出したり、ずれたりするずれおよびガタつきの防止または低減を図ることができる。
【００３３】
さらに、図１３に示すように付属品１０と取扱説明書セット１１は矩形枠の付属品箱固定用パッド４内に収容されているので、図中白矢印で示す上下方向と横方向のずれとガタつきの防止または低減も図ることができる。
【００３４】
そして、図１４に示すように下部段ボール板２上に載置した製品６上に、下面開口部３ｏ側から上部段ボール箱３を被せた後に、下部段ボール板２の一対の折曲片部９，９を上部段ボール箱３側へほぼ直角に折り曲げる。この後、これら上部段ボール箱３と下部段ボール板２とを、前後一対の折曲片部９，９を有する前後方向に複数のＰＰ（ポリプロピレン）製の結束バンド１５，…により堅く締結する。
【００３５】
これら結束バンド１５，…は、一対の折曲片部９，９の外面側で締結されており、この折曲片部９，９は上部段ボール箱３の下端角部を被覆し、この被覆部の強度の向上を図っているので、図１０の下底部の一部拡大図に示すように、結束バンド１５，…が折曲片部９，９側へ喰い込む負荷により、上部段ボール箱３の下底部に破れ等の破損が発生することを防止または低減できる。
【００３６】
すなわち、図１５に示すように、従来の梱包装置１０１では、複数の結束バンド１１２に、図中白矢印で示す長手方向に締付力が作用するので、梱包装置１０１の下端角部にて結束バンド１１２が喰い込み、その喰い込み力により、下部段ボール板１０２および上面段ボール板１０８に破れなどの破損１１４が発生する虞があるが、本実施形態によれば、この破損１１４の防止または低減を図ることができる。
【００３７】
さらに、本実施形態によれば、前後一対の折曲片部９，９を、上部段ボール箱３の下面開口部３ｏ側へ折り曲げ、結束バンド１５，１５により上部段ボール箱３の前後方向で複数本の結束バンド１５，…により堅く締結しているので、上部段ボール箱３の前後方向のずれを防止または低減できる。
【００３８】
そして、図９〜図１１（Ａ），（Ｂ）に示すように、上部段ボール箱３内に収容された製品６の図中横方向外側面と、この横方向外側面と対向する上部段ボール箱３の内側面と、の間隙に、緩衝材の一例である左右一対のがたつき防止用ゲタ部材１４ａ，１４ｂを介在させるので、梱包装置１内の製品６が輸送時の振動等によりガタついたり、ずれることを防止できる。特に製品６の横方向のずれおよびガタつきは、下部段ボール板２の位置決め凸部８，…との相乗効果により一層低減できる。
【００３９】
また、これらがたつき防止用ゲタ部材１４ａ，１４ｂは、上部段ボール箱３の一対の内フラップ部３ｂ，３ｃの内面に設けているので、製品６と、上部段ボール箱３との間隙を目視により確認できる。このために、上部段ボール箱３の位置決めと、その調整を容易に行うことができるうえに、がたつき防止用ゲタ部材１４ａ，１４ｂの少なくとも一部等が製品６の上面上に乗り上げ、外フラップ部３ｄ，３ｅが外方（上方）へ膨出する不具合を防止または低減できる。さらに、これら一対のがたつき防止用ゲタ部材１４ａ，１４ｂは、一対の折曲片部９，９同士の対向方向に直交する方向に対向配置されているので、一対の折曲片部９，９同士の対向方向の製品６のずれおよびガタつきを、これら折曲片部９，９により防止または低減できると共に、一対の折曲片部９，９同士の対向方向に直交する方向の製品６のずれおよびガタつきの防止または低減を図ることができる。すなわち、本実施形態によれば、製品６の平面上の縦横方向のずれおよびガタつきを防止または低減できる。
【００４０】
さらに、上部段ボール箱３は、図１６で示す従来の左右一対の側面段ボール板１０９，１１０と上面段ボール板１０８とを一体に形成しているので、部品点数の削減を図ることができる。このために、組立工数の削減も図ることができると共に、上部段ボール箱３の強度の向上を図ることができる。
【００４１】
また、この梱包装置１によれば、下部段ボール板２に、一対の折曲片部９，９を折り曲げ可能に設けると共に、付属品箱固定用パッド４を平面的に折り曲げ可能に設けているので、これら折曲片部９，９と付属品箱固定用パッド４とを平面的に展開することにより、複数枚の下部段ボール板２を安定的に平積みすることができる。また、このために複数枚の下部段ボール板２の保管スペースの節約を図ることができる。
【００４２】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態およびその変形は、発明の範囲および要旨に含まれるとともに、特許請求の範囲に記載された発明とその均等の範囲に含まれる。
【符号の説明】
【００４３】
１…梱包装置、２…下部段ボール板、３…上部段ボール箱、３ａ…上部段ボール箱の側板部上端、４…付属品箱固定用パッド、６…製品、７…載置部、９，９…折曲片部、１０…付属品箱、１１…取扱説明書セット（取扱説明書）。
【図１】
2013144568.tif 000003
【図２】
2013144568.tif 000004
【図３】
2013144568.tif 000005
【図４】
2013144568.tif 000006
【図５】
2013144568.tif 000007
【図６】
2013144568.tif 000008
【図７】
2013144568.tif 000009
【図８】
2013144568.tif 000010
【図９】
2013144568.tif 000011
【図１０】
2013144568.tif 000012
【図１１】
2013144568.tif 000013
【図１２】
2013144568.tif 000014
【図１３】
2013144568.tif 000015
【図１４】
2013144568.tif 000016
【図１５】
2013144568.tif 000017
【図１６】
2013144568.tif 000018